【手続補正書】
【提出日】平成16年6月17日(2004.6.17)
【手続補正１】
【補正対象書類名】明細書
【補正対象項目名】全文
【補正方法】変更
【補正の内容】
【書類名】      明細書【発明の名称】  遊技機【特許請求の範囲】    【請求項１】  支持枠体に支持され遊技者が対面して遊技を行う遊技面を備えた遊技台と、  同遊技台に対して開閉可能に支持され同遊技面の前方に配置される扉枠と、  同扉枠の下方に配置され、同扉枠と一体化してあるいは単独で前記遊技台に対して開閉可能に支持され同遊技台方向から供給通路を介して供給されるパチンコ球を貯留する球受け皿とを備えた遊技機において、  前記球受け皿に供給されるパチンコ球が前記供給通路側にオーバーフローした場合にオーバーフロー状態を検出するセンサを前記遊技台前面であって、同供給通路に隣接した位置に配設したことを特徴とする遊技機。    【請求項２】  支持枠体に支持され遊技者が対面して遊技を行う遊技面を備えた遊技台と、  同遊技台に対して開閉可能に支持され同遊技面の前方に配置される扉枠と、  同扉枠の下方に配置され、同扉枠と一体化してあるいは単独で前記遊技台に対して開閉可能に支持され同遊技台方向から供給されるパチンコ球を貯留する上受け皿と、  前記上受け皿の下方に配置され同上受け皿へのパチンコ球の供給が所定以上となった場合に同上受け皿に貯留しきれずにオーバーフローしたパチンコ球が導かれる下受け皿とを備えた遊技機において、  前記オーバーフローしたパチンコ球を前記下受け皿に導くオーバーフロー通路を前記遊技台の前面側に配置し、同下受け皿に導かれるパチンコ球が同オーバーフロー通路側にオーバーフローした場合にオーバーフロー状態を検出するセンサを同オーバーフロー通路に併設したことを特徴とする遊技機。    【請求項３】  前記センサは前記オーバーフロー通路下流に位置する下受け皿へ流入口の近傍に配置され、同流入口から直接あるいは間接に触診可能な位置に配設されることを特徴とする請求項２に記載の遊技機。【発明の詳細な説明】      【０００１】    【発明の属する技術分野】  本発明は、パチンコ遊技機やパチロット等のパチンコ球を使用する遊技機に関し、特に遊技のために遊技者に供給されるパチンコ球を受ける球受け皿を備えた遊技機に関するものである。      【０００２】    【従来の技術】  例えばパチンコ球を使用する遊技機の一種であるパチンコ遊技機では遊技者は入賞口に遊技球としてのパチンコ球を入賞させ多くの賞球としてのパチンコ球を得ることを目的の一つとしている。この入賞に伴う賞球は遊技台としてのパチンコ機本体の背面に配置された機構盤からパチンコ機本体を通過して上受け皿に供給されるようになっている。いわゆる大当たり状態となった場合のように連続的に入賞が繰り返されると大量の賞球が遊技者に供給される。しかし、上受け皿にパチンコ球が集中して流入し溢れ出てしまってはいけないため、上受け皿が一杯になった場合にはオーバーフローしたパチンコ球は下受け皿に迂回させられるようになっている。例えば従来のパチンコ遊技機におけるオーバーフロー機構は次の通りである。  図２９〜図３３に示すように、パチンコ遊技機の機構盤１２１では払い出し機構１２２を下降してきたパチンコ球は基本的に主連通路１２３からパチンコ機本体１２５の中間通路１２６を通り、更に中間通路１２６に面して配置される連絡通路１２９を通って上受け皿１２７に至るような構造とされている。この主連通路１２３〜上受け皿１２７の間がパチンコ球で一杯になってしまう（これを上受け皿のオーバーフローという）と払い出し機構１２２を下降してきたパチンコ球は副連通路１２８方向に流れるようになっている。そして副連通路１２８からオーバーフロー通路１２９を流下してパチンコ球は図示しない下受け皿に至るような構造とされている。      【０００３】  ところで、例えば大当たりが連続する場合のように極めて大量の入賞が発生すると、オーバーフロー通路１２９方向に迂回させられた賞球自体が下受け皿から外に溢れたり図３１に示すように、下受け皿からオーバーフロー通路１２９側に溢れてしまう事態（これを下受け皿のオーバーフローという）が生じるおそれがある。特にオーバーフロー通路１２９側に溢れることで球詰まり等の故障の原因が生じていた。そのため、オーバーフロー通路１２９にこの下受け皿のオーバーフローを検出するためのセンサとしてのリミットスイッチ１３３を併設するようにしている。図２９に示すように、リミットスイッチ１３３はオーバーフロー通路１２９の下端位置側方（図上右側）に配設されている。リミットスイッチ１３３は同リミットスイッチ１３３とオーバーフロー通路１２９との間に配設されたレバー１３４がオーバーフロー通路１２９側に溢れた賞球によって図３１に示すように図上時計回りに回動されることでオン状態とされる。そして、このリミットスイッチ１３３がオン状態であることを条件に払い出し装置からの賞球の払い出しが一旦停止させられる。下受け皿から賞球が取り除かれてオーバーフロー通路１２９に停滞していた賞球がなくなるとリミットスイッチ１３３がオフ状態となるため賞球の払い出しが再開されることとなる。      【０００４】    【発明が解決しようとする課題】  上記のように従来のパチンコ遊技機ではオーバーフロー通路１２９は機構盤１２１側に形成されている。そのためリミットスイッチ１３３も機構盤１２１側のオーバーフロー通路１２９に併設されていた。そのため、従来からいくつかの問題が生じていた。１）リミットスイッチ１３３が作動するかどうかの点検作業においては従来から実際に下受け皿をオーバーフロー状態として動作確認をしていた。しかし、いちいち点検の度毎にオーバーフローを発生させるのは面倒であるし時間の無駄である。２）例えばリミットスイッチ１３３が故障したり、接触部分が錆びて導通不良となったり、配線が切断されたり、球が詰まってオン状態のままとなってしまったりとリミットスイッチ１３３に関しては多くの異常が発生する要素が内在する。しかし、従来では機構盤１２１側に配設されているため、これらの異常は容易には発見できず、更に不具合を発見したとしても容易に対処できなかった。例えばリミットスイッチ１３３が故障すれば交換が必要であるが、機構盤１２１はパチンコ遊技機においては最も奧寄りにあるパネルであるため作業は極めて面倒であった。  本発明は、このような従来の技術に存在する問題点に着目してなされたものである。その目的とするところは、点検や修理が容易にできる球受け皿のオーバーフローを検出するセンサを備えた遊技機を提供することにある。      【０００５】    【課題を解決するた���の手段】  上記の目的を達成するために、請求項１に記載の発明では、支持枠体に支持され遊技者が対面して遊技を行う遊技面を備えた遊技台と、同遊技台に対して開閉可能に支持され同遊技面の前方に配置される扉枠と、同扉枠の下方に配置され、同扉枠と一体化してあるいは単独で前記遊技台に対して開閉可能に支持され同遊技台方向から供給通路を介して供給されるパチンコ球を貯留する球受け皿とを備えた遊技機において、前記球受け皿に供給されるパチンコ球が前記供給通路側にオーバーフローした場合にオーバーフロー状態を検出するセンサを前記遊技台前面であって、同供給通路に隣接した位置に配設したことをその要旨とする。  また、請求項２に記載の発明では、支持枠体に支持され遊技者が対面して遊技を行う遊技面を備えた遊技台と、同遊技台に対して開閉可能に支持され同遊技面の前方に配置される扉枠と、同扉枠の下方に配置され、同扉枠と一体化してあるいは単独で前記遊技台に対して開閉可能に支持され同遊技台方向から供給されるパチンコ球を貯留する上受け皿と、前記上受け皿の下方に配置され同上受け皿へのパチンコ球の供給が所定以上となった場合に同上受け皿に貯留しきれずにオーバーフローしたパチンコ球が導かれる下受け皿とを備えた遊技機において、前記オーバーフローしたパチンコ球を前記下受け皿に導くオーバーフロー通路を前記遊技台の前面側に配置し、同下受け皿に導かれるパチンコ球が同オーバーフロー通路側にオーバーフローした場合にオーバーフロー状態を検出するセンサを同オーバーフロー通路に併設したことをその要旨とする。  このような構成では、オーバーフロー通路を遊技台の前面側に配置し、同オーバーフロー通路にセンサを併設したためセンサの点検や修理が機構盤を開放しなくとも可能となる。  また、請求項３に記載の発明では請求項２に記載の発明の構成に加え、前記センサは前記オーバーフロー通路下流に位置する下受け皿へ流入口の近傍に配置され、同流入口から直接あるいは間接に触診可能な位置に配設されるようにしたことをその要旨とする。      【０００６】 上記発明のような構成では、遊技台前面であって、同供給通路に隣接した位置にセンサを配設したためセンサの点検や修理が機構盤を開放しなくとも可能となる。      【０００７】    【発明の効果】  上記記載の発明では、遊技台前面であって、同供給通路に隣接した位置にセンサを配設したためセンサの点検や修理が機構盤を開放しなくとも可能となる。      【０００８】    【発明の実施の形態】  以下、本発明をパチンコ遊技機に応用した実施の形態について図面に基づいて説明する。特に本実施の形態では従来に比べて遊技面を大型化したパチンコ遊技機に本発明を化体させて説明する。ここに「従来に比べて大型化した遊技面を備えたパチンコ遊技機」とは遊技者の興趣をより盛り上げるために遊技面を大型化した機種であり、遊技面が大型化することにより遊技面中央に配置される表示装置の液晶画面を大きくすることが可能となり、迫力ある大画面を遊技者は享受でき遊技者に対するアピール度が増すことができる機種である。更に、同機種では遊技面が大きくなるため左右方向への遊技球（パチンコ球）の拡散度が大きくなり遊技自体の視覚的な刺激が増すこと���なり、落下する遊技球の落下距離も長くなるため遊技球が入賞口に入賞するかどうかの期待感も増すこととなるものである。  尚、以下の説明においては前面、前方或いは表面側とは遊技者が正対する側をいい、後面、後方或いは背面側とはそれら正対する側の反対側をいう。また、特記なき限り左右とは前面からみた左右方向をいう。      【０００９】  図１及び図５に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。  外枠１には遊技台としての遊技機本体４が装着されている。遊技機本体４はパチンコ遊技機の構造的な中核を形成するパネル状の構成部材であってヒンジ金具６の回動軸６ａを中心に回動し外枠１に対して図２に示す開閉用金具４ａによって開閉可能にかつ着脱可能に装着されている。  図２に示すように、遊技機本体４を中心としてその他のパネル状の構成部材がその前後方向に積層状に配置されている。まず図２に基づいて各構成部材の概略の配置状態とそれらに付随する主要構成部材について説明し、次いで個々の構成部材について詳述する。  遊技機本体４の上半身に形成された遊技盤取り付けスペース９には遊技盤５が嵌合されている。遊技盤５の前方には扉枠７が配設されている。扉枠７の上方位置にはガラス窓Ｇが嵌合されており、同ガラス窓Ｇの下方位置にはパチンコ球受け皿としての上受け皿８が形成されている。  遊技盤５の後方位置には遊技盤５を背面から覆うように機構盤１０が配設されている。機構盤１０の直下には取り付けベース１１が配設されている。遊技盤５の下方位置にはカバープレート１３が配設されている。カバープレート１３は遊技機本体４に対して固着されている。カバープレート１３には前方に突出形成した下受け皿１４が形成されている。カバープレート１３は従来の機種における下部カバープレートに相当する。単にカバープレート１３としたのは本実施の形態では上受け皿８の扉枠７側への移動に伴って本来上受け皿８が配設される上部カバープレートが不要となっているからである。下受け皿１４の右側方には操作ハンドル１５が取付けられている。      【００１０】  まず、遊技機本体４及び遊技盤５について詳しく説明する。  図１、図７及び図８に示すように、遊技機本体４の上半身には横架フレーム１８及び左右の縦フレーム１９によって額縁状に縁取られた遊技盤取り付けスペース９が形成されている。遊技盤取り付けスペース９の下方は図１０に示すようにパチンコ球処理領域２１とされ、同パチンコ球処理領域２１の下方には更にパチンコ球発射機構２３及び音響機構２４が配設されている。遊技盤５はパチンコ球処理領域２１の天板２２上に載置され遊技盤取り付けスペース９に嵌合されている。図６に示すように、遊技盤５は略正方形のパネル体であって、遊技盤５の前面にほぼ垂直に配置された遊技面２０上には内レール２５及び外レール２６によって包囲された略円形の遊技領域２７が形成されている。遊技領域２７内には入賞口２８及び可変表示装置２９等が所定位置に配設されている。内レール２５の最下部位置にはアウト球回収口３０が形成されている。遊技が終了して入賞口２８に入賞しなかったパチンコ球（遊技球）はアウト球としてアウト球回収口３０から後方に退場する。尚、釘については図示が省略されている。  図７及び図８に示すように、遊技盤取り付けスペース９前面には前記遊技領域２７に応じた形状に縁取られた幕板３１が形成されている。幕板３１は天板２２上に載置された遊技盤５を保持するとともに前方への脱落を防止する機能を有する。  図３及び図５に示すように遊技領域２７は出願人の従来の機種（上受け皿が遊技機本体側に配設されているもの）と比較して大径とされるとともに、可変表示装置２９の表示画面２９ａも大型化して遊技領域２７内においてかなり大きな面積を占めている。これは上受け皿を遊技盤の下方位置に移動させることで上受け皿に関する機構を分散でき、その結果遊技盤を上下方向により長く構成することができるようになったことが主たる理由である。      【００１１】  図１１に示すように、遊技盤５の裏面であって可変表示装置２９の下方位置には３箇所にセーフ球集合樋３２が配設されている。セーフ球集合樋３２の下方にはセーフ球集合板３４が配設されている。セーフ球集合樋３２は入賞したパチンコ球（セーフ球）が遊技領域２７から退場後に通過する背面側の通路であって、セーフ球集合樋３２に導かれたセーフ球はセーフ球集合板３４の内部（遊技盤５との間でなす隙間）を通過して下方に落下する。  図９〜図１１に示すように、セーフ球集合樋３２及びセーフ球集合板３４の背面にはメイン基板３３が配設されている。メイン基板３３には遊技内容に応じたプログラムやこれを起動させるためのプログラム等が個々の機種に応じて封印されて配設されている。      【００１２】  次に遊技盤５のパチンコ球処理領域２１の周辺の構造について説明する。  パチンコ球処理領域２１には後述する払い出し機構４０から供給されるパチンコ球を前面（遊技者側）に導く導入通路４５とパチンコ球を外部に導く排出通路４６とが配設されている。まず導入通路４５について説明する。  導入通路４５は上受け皿８にパチンコ球を導く主通路４７と上受け皿８が一杯になった場合に下受け皿１４方向にオーバーフローしたパチンコ球を導くバイパス通路４９とを備えている。図９〜図１１に示すように主通路４７は遊技機本体４の裏面側に導入口５０を備え、図１、図５等に示すように遊技機本体４の表面側の導出口５１に連通されている。図１３、図１４及び図１６に示すように、主通路４７内には導入口５０から導入したパチンコ球を前方に流下させる流下面４７ａが形成されている。流下面４７ａには前方に向かって緩やかな傾斜が設けられている。流下面４７ａはその途中で途切れており、導出口５１は空間を隔てた流下面４７ａ前方に配置される。      【００１３】  図９〜図１１並びに図１５及び図１６に示すようにバイパス通路４９は遊技機本体４の裏面側に導入口５２を備え遊技機本体４前面に配設されたオーバーフロー通路としての下受け皿用通路５３内に連通されている。バイパス通路４９内には導入口５２から導入したパチンコ球が前方に流下する流下面４９ａが形成されている。流下面４９ａには前方に向かって緩やかな傾斜が設けられている。  図１、図５、図９〜図１１及び図１６に示すように下受け皿用通路５３は遊技機本体４前面左側から右方向に横行して前記下受け皿１４の流入口１４ａに連通されている。下受け皿用通路５３はパチンコ球処理領域２１の前面左方向においてバイパス通路４９の流下面４９ａから流下するパチンコ球を下方に落下させる第１の通路５３ａと落下するパチンコ球をスムーズに略９０度右方に方向転換させる曲面に形成された案内部５３ｂとパチンコ球を斜め右下方に案内する第２の通路５３ｃから構成される。第２の通路５３ｃは遊技機本体４の左右方向の略中央位置において下受け皿１４の流入口１４ａに接続されている。図１６に示すように、第２の通路５３ｃの起点位置の上方は開放空間５４とされて前記主通路４７の流下面４７ａの下端部が現れている。      【００１４】  図１、図５、図１３及び図１４に示すように、導出口５１にはフラップ５５が立設されている。フラップ５５は回動軸５５ａによって回動可能に軸支されるとともに図示しないバネによって付勢されている。図１４に示すように、扉枠７を閉鎖させることで後述する差し込み受け皿５７が導出口５１から開放空間５４に差し込まれることとなる。差し込み受け皿５７の流下面５７ａは開放空間５４に差し込まれた状態で主通路４７の流下面４７ａよりも若干低い位置に配設され、同流下面４７ａを流下するパチンコ球をさらにすみやかに下流に流下させるために前方に向かって緩やかな傾斜が設けられている。  差し込み受け皿５７の差し込みに伴ってフラップ５５は開放空間５４側に倒伏させられるとともに、開放空間５４によって途切れた流下面４９ａの下流位置に導出口５１方向への橋が架けられることとなる。この状態で主通路４７の流下面４７ａを流下してきたパチンコ球は差し込み受け皿５７上に流入し、更に導出口５１から上受け皿８に導かれることとなる。  一方、扉枠７を開放した際には図１３に示すようにフラップ５５はバネの付勢力によって起立位置に復帰する。この状態ではパチンコ球は導出口５１には導かれない。すなわち、扉枠７と一体的に開放されてしまった上受け皿８にパチンコ球を導くことはできないため上流から流下するパチンコ球を下受け皿１４に導く必要がある。すなわち、差し込み受け皿５７がなくなるためパチンコ球は開放空間５４から下方の第２の通路５３ｃ方向に落下し下受け皿１４に流入することとなる。このとき、勢いよく流下面４９ａを流下してきたパチンコ球はフラップ５５によって導出口５１からの外部への飛び出しが防止される。  図１６に示すように、開放空間５４と隣接する第１の通路５３ａとはその途中に隔壁がなく連通状態とされている。そのため、主通路４７に導かれるパチンコ球が多すぎて流下できなくなった場合にはそのオーバーフローしたパチンコ球は主通路４７から差し込み受け皿５７に至る途中で開放空間５４から第１の通路５３ａの方向に移動して下受け皿用通路５３に導かれる（つまり下受け皿１４に流入する）ようになっている。つまり、バイパス通路４９を通らないで主通路４７に導かれたパチンコ球が遊技機本体４前面に至った段階でオーバーフロー状態となると、下受け皿１４方向に迂回することとなっている。      【００１５】  ここに、図３３に示すように、従来の機種においては扉枠を開放した際に上受け皿への通路が��断されるためパチンコ球がこぼれないように下受け皿へパチンコ球を導く通路１３０が遊技機本体に形成されていた（通路１３０は本実施の形態の下受け皿用通路５３のように周囲が完全に覆われた通路ではなく上方が開放されたレール状部材に過ぎない）。この通路１３０はオーバフローしたパチンコ球を下受け皿に導く機能は全くなく、あくまで上受け皿１２７の開放によって本来上受け皿１２７方向へ流下すべきパチンコ球の逃げ道として下受け皿に導く機能を有するに過ぎない。  この点で、本実施の形態の下受け皿用通路５３はオーバフローしたパチンコ球を下受け皿に導く機能と扉枠開放に伴う上受け皿への通路遮断によりパチンコ球を下受け皿に導く機能の両方の機能を兼ね備えていることとなる。  尚、差し込み受け皿５７は扉枠７の閉塞時に開放空間５４からパチンコ球が下受け皿１４方向に流れてしまわないように設けられているものであって、この機構によって下受け皿用通路５３が両方の機能を兼ね備えることが可能となっている。      【００１６】  次に下受け皿用通路５３の下流部を構成する第２の通路５３ｃから下受け皿１４の流入口１４ａに至るまでの領域について説明する。  図５、図２４及び図２７に示すように、第２の通路５３ｃの先端寄りは下方に屈曲されてカバープレート１３後方に形成された球溜まり６１に接続されている。球溜まり６１は第２の通路５３ｃを流下してきたパチンコ球が一箇所に集中して詰まらないように左右前後に大きく形成された空間であり、オーバーフロー通路の一部をなす。球溜まり６１の前方には下受け皿１４の流入口１４ａが形成されている。球溜まり６１の上部位置であって第２の通路５３ｃの右方にはセンサとしてのリミットスイッチ６２が配設されている。リミットスイッチ６２は第２の通路５３ｃに隣接したセンサ収納部６６に収納されている。  図２３及び図２８に示すように、センサ収納部６６は部分的に切り欠かれた略直方体形状のケース体であって、カバープレート１３の上端位置と交差するように同カバープレート１３の背面側に配置されている。センサ収納部６６の上半身はカバープレート１３の上方に扉枠７を開放した状態で下受け皿用通路５３や後述する発射案内レール６５とともに前方に露出される。一方、下半身はカバープレート１３の背面に収納されている。センサ収納部６６の上半身前面は透明プラスチック製の前面壁６６ａによって覆われている。図２６に示すように前面壁６６ａセンサ収納部６６内部に配設された取り付け台１１４ａ及び前面壁６６ａ自身に配設された取り付け台１１４ｂをビス１１３によって取り外し可能に締着固定されている。図２８に示すように、センサ収納部６６の上部には開口部６６ｂが形成されている。  図２４及び図２８に示すように、センサ収納部６６の下半身には逆Ｌ形状の断面の下垂板１０６が形成されている。下垂板１０６の左方は開放されて球溜まり６１に連通されている。下垂板１０６の左方にはレバー７１が取り付け台１１４ａに対して揺動可能に吊り下げ支持されている。レバー７１はちょうど球溜まり６１とセンサ収納部６６との間に介在され下受け皿１４からオーバーフローしてきたパチンコ球によって押動されることとなる。レバー７１の下部左方にはパチン��球（賞球）と当接する球溜まり６１方向に向くように若干斜めに形成された斜板７１ａが形成されている。斜板７１ａは賞球が当接する面であるとともに、賞球のセンサ収納部６６内部への侵入防止する機能を有する。斜板７１ａの右方には断面コ字状に構成された当接部７１ｂが形成されている。当接部７１ｂは賞球によって押動された際に下垂板１０６の内面と当接し、レバー７１の必要以上の揺動を防止する揺動制御手段とされる。レバー７１の上部寄り右方には入力突起７１ｃが形成されている。      【００１７】  図２３及び図２４に示すように、リミットスイッチ６２はカバープレート１３の上端位置と交差するようにセンサ収納部６６内に配設されている。リミットスイッチ６２はレバー７１の右方において取り付け台１１５に図示しないビスによって固定されている。リミットスイッチ６２は入力レバー６２ａ及び入力ピン６２ｂを備えている。リミットスイッチ６２はオーバーフローしてきたパチンコ球によってレバー７１が揺動されることで入力突起７１ｃによって入力レバー６２ａが押動されて入力ピン６２ｂが入力されてオン状態となる。入力レバー６２ａは図２３に示すように正視状態で入力レバー６２ａの上部がわずかにカバープレート１３の上端から上方側に覗く。そのため、扉枠７を開放した状態でリミットスイッチ６２及びリミットスイッチ６２の入力レバー６２ａを前面壁６６ａを透過して目視できるようになっている。  図２３、図２４及び図２８に示すように、リミットスイッチ６２上部にはコネクタ１０８が装着されている。コネクタ１０８は電源供給と出力信号の送信のための配線Ｌ（作図上図２８だけに図示）をリミットスイッチ６２に接続させるものである。配線Ｌは開口部６６ｂから下受け皿用通路５３に沿って左方に導かれ遊技機本体４の最も左枠板１ｄ寄りの位置で後述する球貸し用基板ボックス８８（上受け皿８の裏面に装着されている。図１参照）への配線とともに後方の機構盤１０側に導かれるようになっている。配線Ｌはセンサ収納部６６から左方向に横断するように配線されており、扉枠７を開放した状態においては遊技機本体４の前面に完全に露出されることとなる。  このような構成では、上受け皿８が一杯になってオーバーフローしたパチンコ球（賞球）は第１の通路５３ａ、案内部５３ｂ、第２の通路５３ｃ、球溜まり６１を順に経て流入口１４ａから下受け皿１４に至る。ところが、図２７に示すように下受け皿１４に溜まった賞球が球溜まり６１側に溢れるようになると（つまり下受け皿１４もオーバーフローしてしまうと）溢れた賞球はレバー７１の斜板７１ａを押動し始める。そして、レバー７１が揺動して入力突起７１ｃによって入力レバー６２ａを押動して入力ピン６２ｂが入力されるとリミットスイッチ６２がオン状態とされ、結果として賞球の供給は停止される（詳しい供給停止の作用については後述する）。  センサ収納部６６の右方には後述する迂回通路８９（図１参照）と接続され上受け皿８からのパチンコ球を下受け皿１４に回避させるための連絡通路１０４が形成されている。      【００１８】  次に排出通路４６について説明する。図９〜図１１に示すように、排出通路４６はアウト球回収口３０から落下してくるアウト球及���セーフ球集合板３４から落下してくるセーフ球を受け止めて下流（図１１では右方）に流下させる第１の傾斜面５８と、第１の傾斜面５８を流下するアウト球及びセーフ球を受け止めて流下方向を逆転させて（図１１では左方）中央寄りにアウト球及びセーフ球を導く第２の傾斜面５９とを備えている。第２の傾斜面５９の下端には図示しない外部レールと連通する排出口６０が形成されている。  ここに、従来の機種ではアウト球とセーフ球を排出する排出通路は本実施の形態のような遊技機本体４に形成されているのではなく、その後方位置にある機構盤側に形成されるような構成を採用していた。本実施の形態においてこのように排出通路を遊技機本体４側に形成するようになった理由は主として上記取り付けベース１１を機構盤１０とは別体で構成したいという要請（その理由については後述する）からである。近年の機種ではセーフ球処理装置を廃した構造とされており、アウト球及びセーフ球を別個に回収せずとも構わなくなりアウト球及びセーフ球の回収機構は簡単な構造となっている。そのため敢えて機構盤側に設けずとも本実施の形態のように遊技機本体４側に設けることが可能となり、機構盤１０の下部にスペースを確保して取り付けベース１１を配設させることができるようになったものである。      【００１９】  次に、パチンコ球発射機構２３について説明する。図１、図９〜図１２に示すように、遊技機本体４の右下方寄り（裏面から見ると左下方寄り）にはパチンコ球発射機構２３が配設されている。パチンコ球発射機構２３は前記操作ハンドル１５、発射ハンマ６３、モータ装置６４、図示しない発射カム，図示しないコイルバネ、図示しない球送りアーム等から構成されている。  モータ装置６４は遊技者が操作ハンドル１５のハンドルリング１５ａに触れていることを条件に所定タイミング（本実施の形態では一分間に１００回の割合）で回転する。モータ装置６４の回転軸には発射カムが固着され、発射カムが回転することによりコイルバネの付勢力に抗して 発射ハンマ６３を回動させる。発射ハンマ６３は回転した発射カムと非係合となることによってコイルバネの付勢力によって一瞬に元の位置に戻ることとなる。この時の勢いによって遊技球が発射される。操作ハンドル１５のハンドルリング１５ａを回動させることでコイルバネの付勢力を制御し、発射ハンマ６３のパチンコ球（遊技球）への当接速度を調節するようになっている。球送りアームは発射ハンマ６３と同期して駆動され後述する遊技球案内装置８７と干渉して新たな遊技球を発射案内レール６５に導入する。      【００２０】  図１及び図１２に示すように、前記下受け皿用通路５３の右方には発射案内レール６５が配設されている。発射案内レール６５の下端（右端）は前記発射ハンマ６３の側方に配置され、発射ハンマ６３の進退方向と重複して左斜め上方に向かって延出されている。発射案内レール６５上端から先は発射されたパチンコ球（遊技球）がジャンプして飛び越えるジャンプ領域６７が形成されている。ジャンプ領域６７の下方には前記下受け皿用通路５３の第２の通路５３ｃを構成する天板６８が配置されている。天板６８上面は右下方に向かって下がる傾斜面とされているため、発射されても遊技���２０に至らず戻ってきてしまった勢いのないパチンコ球がジャンプ領域６７から天板６８上に落下し、そのパチンコ球は天板６８上を右方向に流下して発射案内レール６５の下方から返却通路６９内に導入されるようになっている。返却通路６９は本実施の形態では前記下受け皿用通路５３上部の開放空間５４に連通されている。発射案内レール６５の取り付けリブ６５ａには発射案内レール６５上にセットされた遊技球を下方から支持するストッパ７９が固着されている。      【００２１】  ここに図５に示すように、前方から発射案内レール６５を正視した場合発射案内レール４５の下端寄りはカバープレート１３の上端よりも下方位置に配置される。つまり、前方からでは正視できない隠れた位置に配置されることとなっている。これは遊技盤５の上下幅が上記のように拡張され従来の機種に比べて下方位置まで進出するようになったことに伴い発射案内レール６５を全体に下方位置にずらす必要が生じたことによるものである。本来ならば発射案内レール６５が下がると操作ハンドル１５位置も下げることでこのように発射案内レール６５の下部が隠れた状態になることはない。しかし、パチンコ遊技機において操作ハンドル１５の位置は遊技者が操作しやすい位置に配置されるよう人間工学的に決まってしまっている。そのため、操作ハンドル１５位置を下げることはできない。しかし、遊技球の発射後の助走距離として所定長さの発射案内レール６５は必要である。そこで、このように構成したものである。  ここに、発射案内レール６５の最下端位置（発射準備位置）には次々と打ち出される遊技球が流入してくるため遊技球が確実に保持される必要がある。従来の機種では発射案内レール６５はその前面に配置される上部カバープレートに隣接していたため上部カバープレートからの遊技球の排出口をちょうど発射準備位置に面するような設計が可能であった。ところが、本実施の形態のようなカバープレート１３の上端から下方に隠れてしまっている発射準備位置ではこのような設計は困難である。すなわち、発射準備位置にセットされた遊技球（発射待機球）を前方から支持する支持手段がなくなってしまうこととなる。そこで、本実施の形態では図１２及び図１７に示すように発射案内レール６５の最下端位置に隣接して遊技球案内プレート７０を配設した。  遊技球案内プレート７０は扉枠７側の上受け皿８から発射案内レール６５上に供給された遊技球を前方から支持する。すなわち、図１２及び図１７に示すように、発射準備位置に隣接した位置（前方位置）における同プレート７０の配置位置はその位置における発射案内レール６５よりも若干高い位置に配設される。これによって、発射案内レール６５上の発射待機球はストッパ７９により下方から、発射案内レール６５の取り付けリブ６５ａと同プレート７０により前後から計三方から支持されることとなり（実際には発射待機球と取り付けリブ６５ａ及び同プレート７０との間には若干の隙間が形成され常時支持されているわけではない）正確な発射が可能となる。  カバープレート１３の下受け皿１４の左方には灰皿７２が配設されている。本実施の形態ではこの灰皿７２の裏面に前記音響機構２４の図示しないスピーカが配設されている。図��、図５及び図１２に示すように、発射案内レール６５の右方には鍵穴７３が形成されている。この鍵穴７３は遊技機本体４に対する扉枠７の開閉をつかさどるものである。      【００２２】  次に、扉枠７について詳述する。  図１〜図４に示すように、遊技盤５の前面には扉枠７が配設されている。扉枠７はヒンジ金具６の回動軸６ａを中心に回動し（つまり遊技機本体４の回動軸と同軸で）遊技機本体４に対して開閉可能にかつ着脱可能に装着されている。扉枠７は略長方形の外形を有し、中央にほぼ円形の大型の窓穴７５が形成されている。窓穴７５を円形としたのは遊技盤５の遊技面９の前記遊技領域２７に対応させたものである。窓穴７５には遊技盤５の遊技面９を露出させるためのガラスＧがはめ込まれている。扉枠７の後面側であって窓穴７５周縁には補強フレーム７４が配設されている。扉枠７の前面側であって窓穴７５の周縁には装飾用の装飾パネル７６が所定位置に配設されている。各装飾パネル７６内には図示しないランプが配設されメイン基板３３による制御に基づいて点滅させられる。  窓穴７５の下方位置には球貸し用の操作ボタン７７とカードの残量を表示する７セグ表示の表示パネル７８が配設されている。      【００２３】  操作ボタン７７及び表示パネル７８の下方には上受け皿８が配設されている。図１８及び図１９に示すように、上受け皿８は導入されてきたパチンコ球がプールされる流下面８１と流下面８１を包囲する包囲壁８２を備えている。流下面８１には図示しないパチンコ球貸し出し装置の配球ノズルから放出されたパチンコ球が落下当接する。流下面８１は右側下がりの傾斜に形成されるとともに、下流側（右側）が徐々に狭くなってパチンコ球が縦列配置されるような狭窄通路８４が形成されている。  上受け皿８には上流側（左側）の扉枠７壁面に形成されたパチンコ球導入口８３から導入されたパチンコ球がプールされると同時に徐々に下流側に流下して狭窄通路８４に至り、更に狭窄通路８４最下流に配置された供給口８５から扉枠７の背面側に導かれる。図１に示すように、供給口８５の扉枠７の対応する背面位置には前記遊技球案内プレート７０に遊技球を導く遊技球案内装置８７が配設されている。遊技球案内装置８７は上受け皿８の供給口８５から流下するパチンコ球を前記発射案内レール６５上に落下させる装置である。遊技球案内装置８７の側方には上受け皿８に溜まったパチンコ球を遊技者の操作で自主的に下受け皿１４に回避させる際の迂回通路８９が形成されている。  図１及び図１４に示すように、パチンコ球導入口８３の扉枠７の対応する背面位置には前記差し込み受け皿５７が後方に向かって突設形成されている。差し込み受け皿５７は扉枠７が遊技機本体４前面に装着された状態で前記導出口５１から開放空間５４に差し込まれパチンコ球処理領域２１から供給されたパチンコ球をパチンコ球導入口８３から上受け皿８に導く。前記操作ボタン７７及び表示パネル７８の裏面側には球貸し用基板が内蔵された球貸し用基板ボックス８８が配設されている。      【００２４】  図１８及び図１９に示すように、上受け皿８の流下面８１を包囲する包囲壁８２はパチンコ球導入口８３の周囲が他の部分よりも高く形成された高壁部８２ａとされている。高壁部８２ａの上端はパチンコ球導入口８３の上端位置よりも高い位置とされており、正面から正視した状態でパチンコ球導入口８３は包囲壁８２及び高壁部８２ａによって完全に覆われている。高壁部８２ａ（及び扉枠７の壁面）で包囲された流下面８１の左方位置（パチンコ球導入口８３の前方）はパチンコ球貸し出し装置の配球ノズルからパチンコ球が落下当接する位置である。従って、遊技盤５のサイズが大きくなって従来の機種に比べて上受け皿８が下方に配置されることとなり配球ノズルから流下面８１までの距離が長くなったとしても、高壁部８２ａによって配球ノズルから放出されたパチンコ球が飛び出すことがない。  ここに、従来の機種では上受け皿は扉枠とは別体に上部カバープレートに配設されていた。上部カバープレートは扉枠の下方位置に配設される部材である。そのため、扉枠を開放した際に上部カバープレートに設けられた上受け皿の壁の高さは扉枠の開放の邪魔とならないように（干渉しないように）高さに制限を設けざるを得なかった。そのためパチンコ球貸し出し装置の配球ノズルから上受け皿までの距離が長いと上受け皿に落下したパチンコ球が壁を乗り越えて外に飛び出してしまう可能性があった。従って、配球ノズルの位置はできる限り低くなるように設定されていた。また、壁が余り高くなりすぎないように配慮しながら上部カバープレートをデザインしなければならずデザイン上の制限があった。ところが、本実施の形態では上受け皿８は扉枠７側にあって扉枠７と一体となって開放されるため、高壁部８２ａの高さには制限はない（実際には遊技盤５の遊技面２０にかからない程度にする必要がある）。      【００２５】  次に、機構盤１０について説明する。  図２、図４及び図９に示すように、遊技盤５の背面側には機構盤１０が遊技機本体４に対して開閉可能に装着されている。機構盤１０は上下に配設されたヒンジ部９０（本実施の形態では下側のみ表示）によって遊技機本体４に支持されており、盤面に散点的に配置された開閉ピン９１の引き出し及び押し込みによって遊技機本体４に対して着脱可能とされる。機構盤１０の中央付近には大型開口部１０ａが形成されている。大型開口部１０ａの上半分はカバー９２によって背面から覆われている。  図９に示すように、遊技機本体４に対して機構盤１０が閉塞された状態で同大型開口部１０ａから遊技盤５の背面に配設された可変表示装置２９及びメイン基板３３が露出される。可変表示装置２９はカバー９２によって背面から覆われるが、メイン基板３３は目視確認のために覆われない。  機構盤１０の上部にはタンクＴが配設されている。タンクＴの下方にはタンクレール９３が配設されている。タンクレール９３はタンクＴから導入されたパチンコ球を図９において左方から右方に移動させる。本実施の形態では従来の機種に比べて遊技盤５が上方にも拡張されているためタンクＴは従来の機種に比べて若干浅めに形成されている。タンクレール９３の右方には下方に向かって払い出し装置ユニット９５が配設されている。払い出し装置ユニット９５は払い出し装置９６と、パチンコ球を払い出し装置９６に導く第１の流路９７と、パチンコ機の廃棄等によってパチンコ機を島から取り外す際に同第１の流��９７内の球抜きを行うための球抜き機構９８と、球抜きを行う際にパチンコ球が排出される球抜き流路９９と、払い出し装置９６の下流の第２の流路１００と、ベル１０１と、ベル１０１の下流の第３の流路１０３とより構成されている。  本実施の形態では２基の払い出し装置９６はセーフ球の発生に基づいて所定量のパチンコ球（賞球）を払い出す。パチンコ球は第２の流路１００を流下し途中ベル１０１に当接する。ベル１０１に当接したパチンコ球は第３の流路１０３を斜め下方（図９において左斜め下方）に導かれる。第３の流路１０３を流下したパチンコ球は取り付けベース１１内に至る。機構盤１０の背面を流下してきたパチンコ球はこの取り付けベース１１において前方に方向転換させられる。      【００２６】  図２、図４及び図９に示すように、機構盤１０の下方には取り付けベース１１が配設されている。取り付けベース１１は上下に配設されたヒンジ部１０５によって遊技機本体４に開閉可能に支持されており、図９において左方に配置された開閉ピン１０７の引き出し及び押し込みによって遊技機本体４に対して着脱可能とされている。図９、図２０及び図２１に示すように、取り付けベース１１には発射基板が収納される発射基板ボックス１１ａと、電源基板が収納される電源基板ボックス１１ｂが固着されている。図２１に示すように、払い出し基板が収納される払い出し基板ボックス１１ｃは着脱可能とされている。これは、不正防止の点から払い出し基板ボックス１１ｃのみを別途ユーザに供給する必要のためである。      【００２７】  払い出し基板ボックス１１ｃの装着位置の背面には払い出し装置９６から流下するパチンコ球を遊技機本体４方向に導く主通路用中間通路１０９及びバイパス通路用中間通路１１０が形成されている。第３の流路１０３はパチンコ球を主通路用中間通路１０９に導くように斜めに傾斜して構成されているため特に主通路用中間通路１０９方向が渋滞（例えばパチンコ球の払い出し量が多くなって）しない限りパチンコ球は主通路用中間通路１０９から前記主通路４７に導かれる。図２０〜図２２に示すように、主通路用中間通路１０９の上端位置であってバイパス通路用中間通路１１０との境界位置には案内部材１１２が配設されている。案内部材１１２は基本的に第３の流路１０３を流下してきたパチンコ球がバイパス通路用中間通路１１０方向に流れないように擁壁の役割を果たすとともに、速やかにパチンコ球を主通路４７方向に導くための湾曲した傾斜面１１２ａが主通路用中間通路１０９側を向くように形成されている。従って、第３の流路１０３を流下してきたパチンコ球は主通路用中間通路１０９及びバイパス通路用中間通路１１０付近で渋滞が生じない限り主通路用中間通路１０９方向に導かれる。そして、渋滞が生じて停滞したパチンコ球が案内部材１１２の高さ以上となるとバイパス通路用中間通路１１０方向に導かれる。  主通路用中間通路１０９、バイパス通路用中間通路１１０及び案内部材１１２はオーバーフロー機構を構成する。      【００２８】  ここに、取り付けベース１１は機構盤１０とは別体に構成されている。従来の機種では発射基板、電源基板及び払い出し基板は機構盤に配設されており、かつ必ずしもこのようにま���まってチェックしやすい下方位置に配置されているわけではない。本実施の形態でこのように取り付けベース１１を機構盤１０と別体に構成するようになった理由は主として１）従来の機構盤が大型化、重量化してきたこと、２）別体とすることでパチンコ遊技機の組み立て作業が迅速化すること、３）逆に再利用する際の取り外しの容易さ等の理由からである。  更に、本実施の形態ではパチンコ遊技機としてゲーム内容に関わらず共通性のある基板を取り付けベース１１に機構盤１０とは別体としてまとめることで、保守・点検がしやすくなった。また、このように取り付けベース１１を設けることができるのは上記のように遊技機本体４のパチンコ球処理領域２１に排出通路４６を移動させたことにより機構盤１０位置のスペースに余裕ができたことによるものでもある。図９〜図１１に示すように、機構盤１０の上下幅は遊技盤５の上下幅とほぼ同等に構成されているため、機構盤１０を開放することによって取り付けベース１１は開放あるいは取り外しをしなくとも遊技盤５の保守・点検更に交換等の作業を行うことができる。  また、発射基板ボックス１１ａ、電源基板ボックス１１ｂ及び払い出し基板ボックス１１ｃを排出通路４６から隔絶することによってパチンコ球同士が接触する際に発生する静電気由来のノイズ（電気的信号）の影響を受け難くすることも取り付けベース１１を別体で構成する理由である。      【００２９】  次に、このように構成された本実施の形態のパチンコ遊技機の特にリミットスイッチ６２に関する作用について説明する。  機構盤１０の背面の払い出し装置ユニット９５を流下してきたパチンコ球（賞球）は第３の流路１０３から基本的に主通路用中間通路１０９方向に導かれ、主通路４７に至る。一方、主通路用中間通路１０９及びバイパス通路用中間通路１１０付近で渋滞が生じ停滞した賞球が取り付けベース１１の案内部材１１２の高さ以上となると賞球はバイパス通路用中間通路１１０に導かれ、バイパス通路４９に至る。バイパス通路４９に至った賞球はそのまま前記下受け皿用通路５３を経て下受け皿１４に至る。  これに対して主通路４７に導かれた賞球は基本的には導出口５１から差し込み受け皿５７を介して上受け皿８に導かれるが、遊技機本体４側でも賞球の渋滞が生じていれば上記のように開放空間５４から第１の通路５３ａの方向に移動して下受け皿用通路５３に導かれる。すなわち、遊技機本体４の前後２箇所で上受け皿８におけるオーバーフローの賞球を下受け皿１４に迂回させる機構が設けられていることとなる。      【００３０】  ところが、下受け皿用通路５３に導かれた賞球が下受け皿１４において取り出されることなく図２７に示すように下受け皿１４に溜まった賞球が球溜まり６１に溢れるようになると（つまり下受け皿１４もオーバーフローしてしまうと）溢れた賞球はレバー７１の斜板７１ａを押動し始める。そして、レバー７１が揺動して入力突起７１ｃによって入力レバー６２ａを押動して入力ピン６２ｂが入力されるとリミットスイッチ６２がオン状態とされ、結果として賞球の供給は停止される。リミットスイッチ６２はオン状態において検出信号を払い出し基板ボックス１１ｃ内部の払い出し基板に出力する。その結果として���い出し基板からの命令によって払い出し装置ユニット９５の賞球の払い出し装置９６の駆動が一時的に停止させられる。  このとき、本実施の形態では払い出し装置９６は停止させられるものの、パチンコ球発射機構２３は停止させられることはない。この場合において入賞に伴ってそのセーフ球を順に格納し、そのセーフ球の排出処理と連動して賞球行為を行うセーフ球処理装置を備えた従来機種ではセーフ球が賞球行為が停止した場合にはセーフ球の排出ができなくなるためパチンコ球発射機構も併せて停止させなければセーフ球が詰まって故障してしまう可能性もある。しかし、本実施の形態ではこのような従来のセーフ球処理装置を備えずセーフ球は単にカウントしてセーフ球の数をデータとして取り込むだけであって上記のようにセーフ球自体はアウト球と特に区別せず排出してしまっている。そのためパチンコ球発射機構２３を停止させる必要がないわけである。      【００３１】  さて、下受け皿１４に溜まった賞球が取り出され、球溜まり６１内の賞球量が減ると賞球によるレバー７１の押動作用がなくなる。すると入力ピン６２ｂの入力が解消されてリミットスイッチ６２がオフ状態とされる。その結果として払い出し装置９６の駆動が再開され賞球の供給が行われる。  このとき、下受け皿１４に溜まった賞球が取り出されリミットスイッチ６２がオフ状態となっていなければならないところ、継続して払い出し装置９６が駆動されていない状態が続く場合がありうる。この原因のとして考えられるのは例えばリミットスイッチ１３３の故障、接触部分の錆びによる導通不良、配線の切断、球がセンサ収納部６６とレバー７１の間に詰まってオン状態のままとなってしまう等である。このとき、リミットスイッチ６２は下受け皿１４の流入口１４ａの直上にあるため流入口１４ａからパチンコホールの従業員は指を入れてリミットスイッチ６２及びセンサ収納部６６周辺に不具合がないかを触診することができる。次いで、扉枠７を開放することで図５及び図２３のようにセンサ収納部６６の上半身が前方に露出する。このとき、前面壁６６ａからセンサ収納部６６内部を透視して確認することができる。また、レバー７１や入力レバー６２ａも前面壁６６ａを透視して確認できるためその位置のずれを見てリミットスイッチ６２がオン状態かどうかを直ちに診断できる。  そして、不具合を発見した場合には前面壁６６ａを取り外してリミットスイッチ６２を交換するなり配線を直すなり不具合に応じた修理をするようにする。      【００３２】  このように構成することで本実施の形態では次のような効果を奏する。（１）上受け皿８でオーバーフロー状態となり、更に下受け皿１４においてもオーバーフロー状態となった場合に払い出し装置９６の駆動を一旦停止させるリミットスイッチ６２が遊技機本体４の前面側に配設されており、扉枠７を開放することによって容易に目視できることとなっている。そのため下受け皿１４におけるオーバーフロー状態が解消されたにもかかわらず払い出し装置９６の駆動が再開されない場合には扉枠７を開放するだけでチェックでき従来のように必ず機構盤を背面からチェックするような面倒が解消される。その際にセンサ収納部６６の前面壁６６ａが透明であるため内部を透視でき不具合を発見しやすい。（２）扉枠７を開けなくとも流入口１４ａから指を入れてレバー７１及びレバー７１周辺に不具合がないかを触診することが可能である。また、レバー７１を直接操作することでリミットスイッチ６２のオンオフ動作を点検できるため、従来のようにリミットスイッチ６２が動作するかどうかを実際に下受け皿１４にオーバーフローを起こさせる必要がなく作業の効率化が図られる。（３）扉枠７を開けることでオーバーフロー通路としての下受け皿用通路５３と一緒にリミットスイッチ６２が同時に前面に露出するような構成とされている。ここに、リミットスイッチ６２のような役割のセンサはオーバーフロー通路と併設されて、不具合はセンサ単独というよりオーバーフロー通路の確認も必要なことが多い。本実施の形態のような構成ならばリミットスイッチ６２周囲を点検すると同時に下受け皿用通路５３も不具合がないかを併せて確認することが可能である。（４）センサ収納部６６の前面壁６６ａが着脱可能であるためリミットスイッチ６２に不具合がありそうな場合にリミットスイッチ６２の着脱作業が簡単にできる。（５）本実施の形態では従来のセーフ球処理装置を備えずセーフ球は単にカウントされてセーフ球の数を払い出し基板ボックス１１ｃ内の払い出し基板内にデータとして取り込まれるにすぎない。実際にはセーフ球自体はアウト球と特に区別せず排出してしまっている。そのためパチンコ球発射機構２３を停止させる必要がないため、遊技者は遊技を中断させられることはない。（６）レバー７１は斜板７１ａによってパチンコ球のセンサ収納部６６内への侵入を阻止しているため、パチンコ球が侵入して入力レバー６２ａが押動されたままとなることがない。（７）レバー７１の当接部７１ｂはちょうど入力突起７１ｃが入力レバー６２ａを押動して適度な圧力で入力ピン６２ｂを入力した状態で下垂板１０６に当接するように配置されている。そのためオーバーフロー時の過剰な圧力によって必要以上の圧力で入力ピン６２ｂが押されることがない。（８）リミットスイッチ６２を遊技機本体４の前面側に配置することに伴って、本実施の形態では配線Ｌが遊技機本体４の前面を迂回して機構盤１０に接続させられている。このため、従来目視しにくかったリミットスイッチ６２への配線Ｌを扉枠７を開放することで目視できるようになったので、配線Ｌの不具合の点検や交換が容易になった。また、開口部６６ｂからコネクタ１０８を抜くことで配線Ｌの接続を簡単に解除できるため、例えば遊技機本体４から機構盤１０を取り外す際に配線Ｌが邪魔になったり引っ張られて断線したりという不具合がなくなる。      【００３３】  尚、この発明は、次のように変更して具体化することも可能である。  ・遊技機本体４を金属製素材より構成し、長期間使用可能とした機種に応用するようにしてもよい。  ・下受け皿用通路５３とセンサ収納部６６をユニット化して一体的に構成し、更に着脱可能としても構わない。更に連絡通路１０４もこれらに一体化させてもよい。  ・遊技機本体４を金属製素材より構成する一方で、下受け皿用通路５３、センサ収納部６６、球溜まり６１更に扉枠７を樹脂にて構成してもよい。この場合に隣接した部材、例えば下受���皿用通路５３、センサ収納部６６はユニット化することも可能である。このようにすればパチンコ球が流下する箇所が金属製ではないため騒音が抑制される。  ・リミットスイッチ６２の位置は上記実施の形態に限定されるものではない。要は下受け皿１４から第２の通路５３ｃ方向にオーバーフローした賞球を検出できる位置にあればよい。上記実施の形態では球溜まり６１と空間的に連通されたセンサ収納部６６内に配設されていたが、これは例えば第２の通路５３ｃ内にあっても構わない。  ・センサとして上記リミットスイッチ６２以外のセンサ、例えばマイクロスイッチ、光センサ、磁気センサ等を使用することは勿論構わない。  ・上記実施の形態のような「従来に比べて大型化したパチンコ遊技機」以外の従来の機種に応用してもよい。例えば、上記実施の形態では大型化に伴って扉枠７と上受け皿８とが一体化しているが、上受け皿８が扉枠７とは別体で開閉される従来の機種に応用することももちろん構わない。  ・取り付けベース１１に構成した主通路用中間通路１０９、バイパス通路用中間通路１１０及び案内部材１１２等のオーバーフロー機構は必ずしもなくとも構わない。オーバーフロー機構がなくとも遊技機本体４前面側の下受け皿用通路５３によってオーバーフローしたパチンコ球を十分下受け皿１４に迂回しうるからである。  ・上記実施の形態ではオーバーフローを起こすパチンコ球を賞球として説明していたが、一部賞球以外のパチンコ球が混入することは当然ありうる。  ・上記実施の形態では配線Ｌは開口部６６ｂから遊技機本体４の左方に導かれていたが、これ以外の配線も可能である。また、開口部６６ｂを設けずとも構わない。  ・上記実施の形態では上受け皿８及び下受け皿１４のあるタイプの遊技機について説明したが、本発明は上受け皿又は下受け皿がない機種（つまり１つの球受け皿のみを有する場合）に応用することも可能である。あるいは３つ以上の球受け皿を有する場合に応用することも可能である。  ・本実施の形態はいわゆる現金機以外のＣＲ機にも応用可能である。  ・本発明はいわゆるパチロットと呼称されるパチンコ球を使ってのスロットマシンに応用するようにしてもよい。  その他、本発明の趣旨を逸脱しない態様で実施することは自由である。      【００３４】  本発明の目的を達成するために上記実施の形態から把握できるその他の技術的思想について下記に付記として説明する。（１）  支持枠体に支持され遊技者が対面して遊技を行う遊技面を備えた遊技台と、  同遊技台に対して開閉可能に支持され同遊技面の前方に配置される扉枠と、  同扉枠の下方に配置され、同扉枠と一体化してあるいは単独で前記遊技台に対して開閉可能に支持され同遊技台方向から供給されるパチンコ球を貯留する上受け皿と、  前記上受け皿の下方に配置され同上受け皿へのパチンコ球の供給が所定以上となった場合に同上受け皿に貯留しきれずにオーバーフローしたパチンコ球が導かれる下受け皿とを備えた遊技機において、  前記オーバーフローしたパチンコ球を前記下受け皿に導くオーバーフロー通路を前記遊技台の前面側に配置し、同下受け皿に導かれるパチンコ球が同オーバーフロー通路側にオーバーフローした場合にオーバーフロー状態を検出するセンサを��オーバーフロー通路に併設したことを特徴とする遊技機。  このような構成では、オーバーフロー通路を遊技台の前面側に配置し、同オーバーフロー通路にセンサを併設したためセンサの点検や修理が機構盤を開放しなくとも可能となる。（２）前記センサは前記オーバーフロー通路下流に位置する下受け皿へ流入口の近傍に配置され、同流入口から直接あるいは間接に触診可能な位置に配設されることを特徴とする請求項１又は付記１に記載の遊技機。  これによって、下受け皿からセンサ周辺に不具合がないかを触診することが可能である。ここで、直接とはセンサに作業者が直接触る場合を意図し、間接とは例えば上記実施の形態のようにレバー７１のような他の部材を介する場合を意図する。（３）同センサは前面が透明な隔壁を有する収納スペースに収納され、前記扉枠あるいは上受け皿を前記遊技台に対して開放した状態において同隔壁を通して同センサを目視できることを特徴とする請求項１若しくは付記１又は２のいずれかに記載の遊技機。  これによって、遊技台前面を覆う扉枠あるいは上受け皿を前面側から開放するだけでセンサも目視することができる。（４）少なくとも前記隔壁は着脱可能であることを特徴とする請求項１若しくは付記１〜３のいずれかに記載の遊技機。  これによって、センサの交換・修理における作業が簡略化される。（５）前記センサが入力された際に払い出し装置が停止するものの、発射装置は停止しないことを特徴とする請求項１若しくは付記１〜４のいずれかに記載の遊技機。  これによって、遊技者は賞球の供給が停止されていても遊技を継続することが可能となる。（６）前記収納スペースとオーバーフロー通路間にはオーバーフローしたパチンコ球に押動されてセンサをオン状態とするレバーが配設され、同レバーは前記収納スペースの透明な隔壁から目視可能であることを特徴とする請求項１若しくは付記１〜５に記載の遊技機。（７）前記センサへの配線は前記扉枠あるいは上受け皿を前記遊技台に対して開放した状態において前記遊技台前面に露出することを特徴とする請求項１若しくは付記１〜６に記載の遊技機。（８）前記センサに配線を接続させるコネクタは遊技台前面において着脱可能であること。      【００３５】【図面の簡単な説明】    【図１】  本発明の実施の形態のパチンコ遊技機の開放した状態を示す概略斜視図。    【図２】  同じパチンコ遊技機の分解側面図。    【図３】  同じパチンコ遊技機の正面図。    【図４】  同じパチンコ遊技機の側面図。    【図５】  同じパチンコ遊技機の扉枠を外した状態の正面図。    【図６】  同じパチンコ遊技機の遊技盤の正面図。    【図７】  同じパチンコ遊技機の遊技機本体の上半身の正面図。    【図８】  同じパチンコ遊技機の遊技機本体の上半身の側断面図。    【図９】  同じパチンコ遊技機の背面図。    【図１０】  同じパチンコ遊技機の機構盤を外した状態の背面図。    【図１１】  図１０においてメイン基板周辺を取り外した状態の背面図。    【図１２】  同じパチンコ遊技機のパチンコ球処理領域付近の斜め上方からの斜視図。    【図１３】  図５におけるＡ−Ａ線での断面図。    【図１４】  図５におけるＡ−Ａ線での断面図。    【図１５】  図５におけるＢ−Ｂ線での断面図。    【図１６】  同じパチンコ遊技機の主通路、バイパス通路及び導出口の断面図。    【図１７】  図５におけるＣ−Ｃ線での断面図。    【図１８】  同じパチンコ遊技機の上受け皿の平面図。    【図１９】  同じパチンコ遊技機の上受け皿の断面図。    【図２０】  同じパチンコ遊技機の取り付けベースの平面図。    【図２１】  同じパチンコ遊技機の取り付けベースの斜視図。    【図２２】  オーバーフロー機構周辺の背面図。    【図２３】  扉枠を開放した際に露出される遊技機本体前面のセンサ収納部付近の拡大正面図。    【図２４】  図２３の一部切り欠き正面図。    【図２５】  図２３のＡ−Ａ線での縦断面図。    【図２６】  図２３のＢ−Ｂ線での縦断面図。    【図２７】  球詰まりとなってしまった状態を説明するセンサ収納部付近の拡大正面図。    【図２８】  センサ収納部及びリミットスイッチを説明する一部切り欠き斜視図。    【図２９】  従来のパチンコ遊技機の機構盤の部分拡大図。    【図３０】  従来のパチンコ遊技機の遊技機本体の一部の正面図。    【図３１】  球詰まりとなってしまった図２８の機構盤の部分拡大図。    【図３２】  従来のパチンコ遊技機の上受け皿、遊技機本体及び機構盤の一部断面部分平面図。    【図３３】  従来のパチンコ遊技機の上受け皿、遊技機本体及び機構盤の一部断面部分平面図。  【符号の説明】  １…支持枠体としての外枠、４…遊技台としての遊技機本体、５…遊技盤、７…扉枠、８…上受け皿、１４…下受け皿、２０…遊技面、５３…オーバーフロー通路としての下受け皿用通路、６２…センサとしてのリミットスイッチ。
【手続補正２】
【補正対象書類名】図面
【補正対象項目名】図１
【補正方法】変更
【補正の内容】
【図１】
2003024598.tif 000001
【手続補正３】
【補正対象書類名】図面
【補正対象項目名】図５
【補正方法】変更
【補正の内容】
【図５】
2003024598.tif 000002
【手続補正４】
【補正対象書類名】図面
【補正対象項目名】図８
【補正方法】変更
【補正の内容】
【図８】
2003024598.tif 000003
【手続補正５】
【補正対象書類名】図面
【補正対象項目名】図１２
【補正方法】変更
【補正の内容】
【図１２】
2003024598.tif 000004
【手続補正６】
【補正対象書類名】図面
【補正対象項目名】図１７
【補正方法】変更
【補正の内容】
【図１７】
2003024598.tif 000005